(57)【特許請求の範囲】
【請求項１】
付加情報が付加されて伝送されたディジタル情報信号の記録再生を行うディジタル情報記録再生装置であって、
前記付加情報により前記ディジタル情報信号の種類を識別する識別手段と、
前記付加情報から再生制御に用いる制御信号を生成し、前記ディジタル情報信号と前記制御信号を記録する記録手段と、
前記記録手段により記録されたディジタル情報を再生する再生手段と、
前記制御信号に基いて再生を制御する制御手段と、
前記ディジタル情報信号の種類が特定の種類であると前記識別手段により識別された場合には、前記ディジタル情報信号が記録された日時より所定期間以上経過していないものであって前記記録手段により記録されたものである場合にのみ前記再生手段は前記ディジタル情報信号の再生を行うことを特徴とするディジタル情報記録再生装置。
【請求項２】
前記ディジタル情報信号は秘話化された情報であり、前記再生手段による再生時に、前記ディジタル情報信号の種類が特定の種類である場合には前記ディジタル情報信号の秘話化を解除することを特徴とする請求項１に記載のディジタル情報記録再生装置。
【請求項３】
付加情報が付加されて伝送されたディジタル情報信号の記録再生を行うディジタル情報記録再生装置であって、
前記付加情報により前記ディジタル情報信号の種類を識別する識別手段と、
前記付加情報から再生制御に用いる制御信号を生成し、前記ディジタル情報信号と前記制御信号を記録する記録手段と、
前記記録手段により記録されたディジタル情報を再生する再生手段と、
前記制御信号に基いて再生を制御する制御手段と、
前記ディジタル情報信号の種類が特定の種類である場合であって前記ディジタル情報信号が前記記録手段により記録されたものでない場合には前記再生手段は前記ディジタル情報信号の再生を不可能とし、前記ディジタル情報信号の種類が特定の種類である場合であって前記ディジタル情報信号が前記記録手段により記録されたものであっても記録された日時より所定期間以上経過しているものである場合には前記再生手段は前記ディジタル情報信号の再生を不可能とすることを特徴とするディジタル情報記録再生装置。
【請求項４】
付加情報が付加されて伝送されたディジタル情報信号を受信し、
受信した前記ディジタル情報信号を記録媒体に記録し、
前記付加情報に含まれるディジタル情報信号の種類が特定の種類である場合であって前記ディジタル情報信号が記録された日時より所定期間以上経過していないものである場合には、前記ディジタル情報信号が記録された装置でのみ前記ディジタル情報信号の再生を許可することを特徴とするディジタル情報記録再生方法。
【請求項５】
前記ディジタル情報信号は秘話化された情報であり、前記再生が許可された場合には、前記ディジタル情報信号の秘話化を解除することを特徴とする請求項４に記載のディジタル情報記録再生方法。
【請求項６】
付加情報が付加されて伝送されたディジタル情報信号を受信し、
受信した前記ディジタル情報信号を記録媒体に記録し、
前記記録媒体に記録されたディジタル情報を再生し、
前記付加情報に含まれるディジタル情報信号の種類が特定の種類である場合には、前記ディジタル情報信号が記録された装置以外の装置での再生を不可能にし、前記ディジタル情報信号が記録された装置での再生であっても前記ディジタル情報信号が記録された日時より所定期間以上経過しているものである場合は再生を不可能にすること、
を特徴とするディジタル情報記録再生方法。
【発明の詳細な説明】
【０００１】
【発明の属する技術分野】
本発明はディジタル情報信号の記録再生装置、記録再生方法及び送信方法に係り、特に、記録信号に制御情報を付加して記録し、その付加情報を利用して再生を行うディジタル情報記録再生装置、記録再生方法及び送信方法に関する。
【０００２】
【従来の技術】
テレビジョン学会誌第４７巻第４号（１９９３年）第４９４頁から第４９７頁に記載のような、オーディオやビデオのソフト等を電波やケーブルを介して伝送し、各家庭でそれを記録するシステムが考えられている。
【０００３】
【発明が解決しようとする課題】
上記従来技術でオーディオやビデオのソフトの販売やレンタルを行う場合には、販売先やレンタル日数等を管理しなければならないという問題があった。
【０００４】
本発明の目的は、かかる問題点を解消し、販売先やレンタル日数等の管理を容易に行うことのできるディジタル情報記録再生装置を提供することにある。
【０００５】
【課題を解決するための手段】
上記目的を達成するため、本発明は、付加情報が付加されて伝送されたディジタル情報信号の記録再生を行うディジタル情報記録再生装置であって、前記付加情報により前記ディジタル情報信号の種類を識別する識別手段と、前記付加情報から再生制御に用いる制御信号を生成し、前記ディジタル情報信号と前記制御信号を記録する記録手段と、前記記録手段により記録されたディジタル情報を再生する再生手段と、前記制御信号に基いて再生を制御する制御手段と、前記ディジタル情報信号の種類が特定の種類であると前記識別手段により識別された場合には、前記ディジタル情報信号が記録された日時より所定期間以上経過していないものであって前記記録手段により記録されたものである場合にのみ前記再生手段は前記ディジタル情報信号の再生を行う構成とした。
【０００７】
【発明の実施の形態】
以下、本発明の実施例を図面を用いて説明する。
【０００８】
図１は本発明によるディジタル情報記録再生装置の一実施例を示すブロック図であって、大きくは、送信系１００、受信系２００、記録再生系３００に分けられ、１は入力端子、１０は送信系符号器、２０は時間軸圧縮器、２５は変調器、３０は伝送路、３５は復調器、４０は記録系符号器、４５は切換スィッチ、５０は回転ドラム、５１ａ、５１ｂは磁気ヘッド、６０は磁気テープ、７０は再生系復号器、８０は受信系復号器、９は出力端子である。尚、磁気ヘッド５１ａ、５１ｂにおいて、（＋）は正アジマス、（−）は負アジマスを示す。
【０００９】
同図において、送信系１００の動作は、入力端子１より入力されたディジタル情報信号は、送信系符号器１０により所定のフォーマットで符号化され、時間軸圧縮器２０により１／ｎ（本発明では、ｎは２以上の整数に設定される）に時間軸圧縮されて伝送レートがｎ倍に高速化され、変調器２５により変調され、伝送路３０に送り出される。
【００１０】
受信系２００では、伝送路３０を介して受信した信号を復調器３５により復調し、この復調した信号を、送信系符号化されたままの状態で、直接、記録再生系３００の記録系符号器４０に供給される。記録系符号器４０ではこの供給された信号を記録再生に適したフォーマットで記録符号化する。
【００１１】
図２はこの記録系符号器４０の一構成例を示したブロック図であって、４１は記憶回路、４２はインターフェース回路、４３はパリティ生成回路、４４は記録信号生成回路、３０１は制御情報生成回路である。同図において、受信系２００の復調器３５で復調されたデータは、インターフェース回路４２を介して、先ず記憶回路４１に記憶される。図３（Ａ）はこの復調データである。パリティ生成回路４３では、記憶回路４１に記憶された復調データよりパリティを生成し、記憶回路４１に記憶される。記録信号生成回路４４では、記憶回路４１に記憶された復調データおよびパリティを読み出し、制御信号生成回路３０１で生成された制御情報等よりなるＩＤ信号および同期信号を付加し、図３（Ｂ）に示すようなブロック形式の信号として出力する。図４はＩＤ信号の一構成例であり、例えば、記録トラックを識別するためのトラック番号と、トラック内での位置を識別するためのブロック番号と、制御情報、およびＩＤ信号の誤り検出訂正のためのパリティで構成している。
【００１２】
このようにして記録系符号化された信号は、切換スィッチ４５を介して、回転ドラム５０の１８０度対向する位置に取付けられた磁気ヘッド５１ａ、５１ｂに供給され、磁気テープ６０にアジマス記録される。図５にこのときのトラックパターンを示す。尚、回転ドラム５０の回転速度および磁気テープ６０の走行速度は、従来と同様、Ｒ1、Ｖ1に設定され、Ｐはトラックピッチであり、Ｗは磁気ヘッド５１ａ、５１ｂのヘッド幅である。本実施例では、このヘッド幅ＷはトラックピッチＰより大きく、例えば、１．５倍に設定されている。
【００１３】
再生時は、回転ドラム５０を記録時と同じ速度Ｒ1で回転させ、磁気テープ６０は記録時の１／ｎの速度Ｖ1／ｎで走行させ、記録された信号を磁気ヘッド５１ａ、５１ｂにより再生する。図６はこの再生時のトラックパターンを示す図であって、実線は記録されたトラックパターンを示し、破線は磁気ヘッド５１ａ、５１ｂの走査軌跡を示す。このように、回転ドラム５０を記録時と同じ速度Ｒ1で回転させ、磁気テープ６０を記録時の１／ｎの速度Ｖ1／ｎで走行させているため、磁気ヘッド５１ａ、５１ｂの走査のピッチはトラックピッチＰの１／ｎとなり、走査角度は若干ずれるが、ほぼ１トラック当りｎ回走査することになる。尚、この実施例では、説明を簡単にするために、ｎを３としている。Ｗは磁気ヘッド５１ａ、５１ｂのヘッド幅を示し、通常、このヘッド幅（Ｗ）はトラックピッチ（Ｐ）より大きく、例えば、１．５倍に設定される。
【００１４】
図７は制御信号の構成である。プログラム番号はテープ内で何番目のプログラムかを示す情報、時間情報はテープ内およびプログラム内での経過時間を示す情報である。種類は、記録するディジタル情報信号が販売されたものかレンタルされたものか等の種類を示す情報である。なお、この情報は、販売された情報が特定のユーザーに対してのみ販売されたものかどうかやレンタルする日数等に応じてさらに細分化してもよい。記録日時は記録した時の日時、ユーザー番号は記録したユーザーの登録番号であり、受信系２００または記録再生系３００に記憶されている。
【００１５】
制御情報は、複数ブロックに分散して記録しておくことにより、冗長度を低減させることができる。また、図８に示すように、ディジタル情報信号とは異なる領域に記録してもよい。この場合には、ディジタル情報信号記録領域と同一のブロック構成にし、図３（Ｂ）の復調データを記録する部分に制御情報を記録すればよい。なお、制御情報は、多重書きしておくことにより、信頼性を向上させることができる。
【００１６】
ディジタル情報信号の販売またはレンタルのサービスを受ける場合には、ユーザーが送信元への申し込みを行うと、送信元からディジタル情報信号をユーザー番号および販売またはレンタルの種類を示す付加情報と共に送信する。受信側では、受信系２００または記録再生系３００において付加情報中のユーザー番号を識別し、一致した場合にはその情報を記録する。この時、付加情報より販売またはレンタルの種類を識別し、制御情報中の種類を示す情報として記録しておく。
【００１７】
図９は再生系全体の処理を行う再生系復号器７０の一構成例を示したブロック図である。７１は記憶回路、７２はブロック再生回路、７３は誤り訂正回路、７４は再生信号出力回路、３０２は制御信号検出回路である。同図において、磁気ヘッド５１ａ、５１ｂにより再生された信号は、先ずブロック再生回路７２に入力される。このブロック再生回路７２では、同期信号およびＩＤ信号の検出を行い、ＩＤ信号中のトラック番号およびブロック番号より記憶回路７１上の所定の位置に記憶する。誤り訂正回路７３では、記憶回路７１に記憶されているパリティを用いて再生データ中の誤りを訂正し、同時に、誤りの状態を示すポインタを生成し、記憶回路７１に記憶する。このとき、記憶回路７１には同じトラック番号およびブロック番号のデータがｎ回入力されることになるが、ポインタにより最も誤りの状態の良いデータが最終的に記憶される。再生信号出力回路７４では、記憶回路７１に記憶されている誤り訂正処理後のデータをトラック番号およびブロック番号の順序に従って読み出し、時間軸伸長した低速データを出力する。
【００１８】
このようにして再生系復号処理された低速のデータ信号は、受信系２００に送られ、受信系復号器８０により送信系での符号化が解かれる。そして、この元のディジタル情報信号に復号された信号は出力端子９より出力される。
【００１９】
このように、受信系復号器８０を記録再生部３００の前に配置するのではなく、後に配置することにより、この受信系復号器８０は低速処理でよい。
【００２０】
制御信号検出回路３０２では、制御情報を識別して再生を行うかどうかの判断を行う。例えば、販売された情報の場合には、その販売形態によってユーザー番号が一致した場合、すなわち、記録した装置でのみ再生でき、他の装置では再生できないようにする。レンタルされた情報の場合には、記録日時とレンタル期間を比較し、レンタル期間を過ぎている場合には再生できないようにする。なお、この制御は、受信系２００で行ってもよい。この場合には、記録再生系３００で再生された制御信号は受信系２００に出力する。
【００２１】
図１０は本発明によるディジタル情報記録再生装置の他の実施例を示すブロック図であり、ビデオソフトを秘話化して伝送し、加入者のみ記録再生可能としたシステムに本発明を適用した例である。同図において、１５はスクランブラ、５２ａ、５２ｂは磁気ヘッド、７５はデスクランブラ、１０１、１０２、１０３は入力端子、１１１、１１２はＡ／Ｄ変換器、１２１、１２２は情報量圧縮器、２０１、２０２は情報量伸長器、２１１、２１２はＤ／Ａ変換器、２２１、２２２、２２３は出力端子であり、図１に対応する部分には同一符号を付けて重複する説明を省略する。尚、磁気ヘッド５２ａ、５２ｂにおいて、（＋）は正アジマス、（−）は負アジマスを示す。
【００２２】
送信系１００において、入力端子１０１より入力された画像信号は、Ａ／Ｄ変換器１１１によりＡ／Ｄ変換され、情報量圧縮器１２１により適当なレートまで情報量圧縮される。入力端子１０２より入力された音声信号は、Ａ／Ｄ変換器１１２によりＡ／Ｄ変換され、情報量圧縮器１２２により適当なレートまで情報量圧縮される。これらＡ／Ｄ変換され、情報量圧縮された画像信号と音声信号は、入力端子１０３より入力された独立データと共に、送信系符号器１０で時分割多重化、および符号化され、スクランブラ１５により秘話化される。以下、この秘話化された信号は、図１の実施例と同様、時間軸圧縮器２０により１／ｎに時間軸圧縮され、変調器２５により変調され、伝送路３０に送り出される。
【００２３】
受信系２００では、図１の実施例と同様、伝送路３０を介して受信した信号を復調器３５により復調し、記録再生系３００の記録系符号器４０に復調データを供給する。
【００２４】
記録再生系３００では、供給された復調データを記録系符号器４０により記録符号化し、切換スィッチ４５を介して、２組の磁気ヘッド５１ａ、５１ｂ、５２ａ、５２ｂに供給し、磁気テープ６０に２チャンネルアジマス記録する。この２組の磁気ヘッド５１ａ、５１ｂ、５２ａ、５２ｂを用いた２チャンネル記録により、記録周波数を１／２に下げることができる。尚、回転ドラム５０の回転速度および磁気テープ６０の走行速度は、例えば、Ｒ2、Ｖ2に設定されている。
【００２５】
再生時は、回転ドラム５０を記録時と同じ速度Ｒ2で回転させ、磁気テープ６０は記録時の１／ｎの速度Ｖ2／ｎで走行させ、記録された信号を１組の磁気ヘッド５１ａ、５１ｂにより再生する。本実施例では、時間軸圧縮の係数ｎは十分大きく設定（本来、このｎは大きいほど望ましい）されており、１組の磁気ヘッド５１ａ、５１ｂによる１チャンネル再生でも、１トラック当りｎ／２回トレースできるため、再生系復号器７０で図１の実施例と同様の処理を行うことにより十分なデータ再生が可能である。これにより、再生系の回路が１系統で済、回路規模の低減が図れる効果がある。
【００２６】
受信系２００では、再生系復号器７０により復号した信号を受け、デスクランブラ７５により送信系で秘話化された信号を解き、受信系復号器８０により送信系で符号化された信号を複号し、画像信号、音声信号および独立データを分離する。この分離された画像信号および音声信号は、それぞれ、情報量伸長器２０１、２０２により元の情報量まで伸長され、Ｄ／Ａ変換器２１１、２１２によりＤ／Ａ変換され、出力端子２２１、２２２より出力される。また、分離された独立データは出力端子２２３より出力される。
【００２７】
図１１は第１０図の実施例の制御信号の構成である。スクランブル情報は、デスクランブルを行うために必要な情報である。通常、この情報は受信系２００に記憶されている。このスクランブル情報を制御情報として記憶しておき、再生時に再生されたスクランブル情報を受信系２００に出力してデスクランブルを行うことにより、スクランブルが変更になっても記録した情報を再生することができる。
【００２８】
また、レンタルされた情報の場合には、スクランブルを定期的に変更し、制御情報内にはスクランブル情報を記録しないようにしておけば、一定期間経過した情報はデスクランブルができず、これによってもレンタル期間を管理することができる。
【００２９】
【発明の効果】
以上述べたように、本発明によれば、オーディオやビデオのソフト等を電波やケーブルを介して販売やレンタルを行うようなシステムにおいて、販売先やレンタル期間等を容易に管理することができる。
【図面の簡単な説明】
【図１】本発明によるディジタル情報記録再生装置の一実施例を示すブロック図である。
【図２】本発明に係る記録系符号器の一構成例を示すブロック図である。
【図３】図２に示した記録系符号器の入出力信号を示す図である。
【図４】ＩＤ信号の一構成例を示す図である。
【図５】図１の実施例の記録時のトラックパターンを示す図である。
【図６】図１の実施例の再生時のトラックパターンを示す図である。
【図７】制御信号の一構成例を示す図である。
【図８】制御信号の記録方式の他の実施例を示す図である。
【図９】本発明に係る再生系符号器の一構成例を示すブロック図である。
【図１０】本発明によるディジタル情報記録再生装置の他の実施例を示すブロック図である。
【図１１】図１０の実施例の制御信号の一構成例を示す図である。
【符号の説明】
１０…送信系符号器、１５…スクランブラ、２０…時間軸圧縮器、２５…変調器、３５…復調器、４０…記録系符号器、４１…記憶回路、４２…インターフェース回路、４３…パリティ生成回路、４４…記録信号生成回路、５０…回転ドラム、５１ａ、５１ｂ、５２ａ、５２ｂ…磁気ヘッド、６０…磁気テープ、７０…再生系復号器、７１…記憶回路、７２…ブロック再生回路、７３…誤り訂正回路、７４…再生信号出力回路、７５…デスクランブラ、８０…受信系復号器、１１１、１１２…Ａ／Ｄ変換器、１２１、１２２…情報量圧縮器、２０１、２０２…情報量伸長器、２１１、２１２…Ｄ／Ａ変換器、３０１…制御信号生成回路、３０２…制御信号検出回路。
【図１】
0003637905.tif 000002
【図２】
0003637905.tif 000003
【図３】
0003637905.tif 000004
【図４】
0003637905.tif 000005
【図５】
0003637905.tif 000006
【図６】
0003637905.tif 000007
【図７】
0003637905.tif 000008
【図８】
0003637905.tif 000009
【図９】
0003637905.tif 000010
【図１０】
0003637905.tif 000011
【図１１】
0003637905.tif 000012